(57)【特許請求の範囲】
【請求項１】
シート状材料の一端から他端に向けて、左貼付板（２）と中仕切り板（３）と右貼付板（４）と後板（５）と左側板（６）と前板（７）と右側板（８）の七面を順次連接し、上方向に対し中仕切り板（３）の上端に中貼付板（９）を、後板（５）の上端に蓋板（１１）と差し込み板（１２）を、前板（７）の上端に前貼付板（１０）を  夫々連接し、各連接部に押し罫と半切り罫と切り罫の単独か組合せを付与して折り曲げ  易くし、各貼付板と貼付片には接着剤を塗布し、仕切り片（９4 ，１０4 ）と前記仕切り片の勾配付き下辺の他端に形成した段（９9 ，１０9 ）と切り込み（９3 ，１０3 ）と帯び板（９5 ，１０5 ）で構成した中前貼付板（９，１０）を相手板側に折り曲げ、前記切り込みに沿い前記仕切り片を引き起して直立し、接着剤を塗布した核貼付板と貼付片を相手板面に接着して、中仕切り板（３）を境にして前後に多数の仕切り付外枠を形成する際に、前記段に連接する前記帯び板が前記各仕切り片の中央を支え、前記外枠の上部を蓋板（１１）で覆うと前記蓋板上の突起（１１1 ）と左右側板（６，８）とで、前記上蓋外面に空間（１３）を構成したことを特徴とする緩衝機能付中仕切り。
【請求項２】
後板（５）と前板（７）の高さに差を持たせ、左貼付板（２）と中仕切り板（３）と右貼付板（４）と後板（５）と左側板（６）と前板（７）と右側板（８）からなる仕切り付外枠に、後板（５）に連接した蓋板（１１）と差し込み板（１２）を折り曲げて、前板（７）内面に差し込み板（１２）先端が仕切り片（１０4 ）上端に接する迄挿入し、差し込み片（１２）先端の突起（１２1 ）が仕切り片（１０4 ）同士による隙間に達すると、突起（１２1 ）が蓋板（１１）の抜け止め役を果たす構成としたことを特徴とする請求項１に記載の緩衝機能付中仕切り。
【発明の詳細な説明】
【０００１】
【発明の属する技術分野】
本発明は、医療用容器収納箱の取り扱い時の衝撃等で、該箱に収納した割れ易い容器が相互接触等により損傷することを防止するために、箱内部に挿入する緩衝機能付中仕切りに関する。
【０００２】
【従来の技術】
アンプルやバイアルやドリンク等の容器では、該容器を蓋と身を夫々独立した厚手のプラスチック材料による成形品とし、中身が固形薬品の時には容器内の所要箇所にスポンジ等の緩衝材を挿入し、複数の容器を格納する場合では箱仕切板を設け容器や中身の損傷防止対策としている。箱と仕切りの一体形にはシールエンドタイプや底ワンタッチ等の種類がある。
【０００３】
【発明が解決しようとする課題】
アンプルやバイアルや注射筒やドリンク瓶等の医薬用容器収納箱は、該箱収納物が使用前に損傷しないことを最大の課題とし、本出願人の先願である実願昭６３−１６６９１５号の「異深区画を形成する中仕切付包装箱」にも仕切り内蔵形で一部の仕切りに緩衝機能を増し、組立の容易性を備えた偏平式の折り畳み箱の技術を開示しているが、損傷防止の問題解決迄には至らない。
【０００４】
また緩衝機能を持つプラスチック成形容器やスポンジ等の使用も、用済み後に廃棄物として処理する場合に、比較的小物のために再生処理に要する回収コストが掛かり過ぎ、自然劣化による自壊作用も見込めないことから燃焼による処理手段が多用されるが、燃焼ガスの発生や燃え滓の始末に絡む公害と炉の耐久性等の問題を避けて通れない。
【０００５】
容器収納箱の自動組立ラインを構成する際に、注意すべきは貼付部分の接着剤がはみ出し内接することで、ワンタッチ底を持つ箱では未使用時は偏平状に折り畳み保管するので特にこの問題が起こり易く、箱と仕切りを一体化したシールエンドタイプは底貼機を別途に必要とし、緩衝材の存在も組立機能を複雑化し緩衝効果の少ない割りに手間を要し、ラインの延長等設備費の高騰と故障増も予測され、作業監視に多くの器材と人の配置を必要としコスト増の要因となる。
【０００６】
【課題を解決するための手段】
本発明は既述の問題を解決し、容器または該容器内の薬品に必要な損傷防止機能を備え、用済み後に再生可能か廃棄物処理をしても公害問題を提起しない材料で構成し、収納箱に挿入し使用する緩衝機能付中仕切りの提供を目的とする。
【０００７】
本発明は、シート状材料の一端から他端に向けて、左貼付板と中仕切り板と右貼付板と後板と左側板と前板と右側板の七面を順次連接し、上方向に対し中仕切り板の上端に中貼付板を、後板の上端に蓋板と差し込み板を、前板の上端に前貼付板を夫々連接し、各連接部に押し罫と半切り罫と切り罫の単独か組合せを付与して折り曲げ易くし、各貼付板と貼付片には接着剤を塗布し、仕切り片と前記仕切り片の勾配付き下辺の他端に形成した段と切り込みと帯び板で構成した中前貼付板を相手板側に折り曲げ、前記切り込みに沿い前記仕切り片を引き起して直立し、接着剤を塗布した核貼付板と貼付片を相手板面に接着して、中仕切り板を境にして前後に多数の仕切り付外枠を形成する際に、前記段に連接する前記帯び板が前記各仕切り片の中央を支
え、前記外枠の上部を蓋板で覆うと前記蓋板上の突起と左右側板とで、前記上蓋外面に空間を構成したことを特徴とする緩衝機能付中仕切りである。
【０００８】
【発明の実施の形態】
本発明は、医療用薬品収納箱に挿入する前に、予め組み立てた仕切りを内蔵する収納部に対し、該収納部の上方に突起を備えた蓋板と下方に帯び板を配置し、挿入後に同突起と帯び板により箱内壁と前記収納部の間に空間を形成し、緩衝機能を持せた構造で紙製の中仕切りである。
【０００９】
中仕切りは、一面の中仕切り板と二面の左右貼付板と二面の前後板と二面の左右側板の七面を所要の組合せで横方向に連接し、中仕切り板と前板の各々上辺に仕切り片付中前貼付板を前板上辺に蓋板と差し込み板を順次連接し、各連接部に押し罫と半切り罫と切り罫の各線を単独か組合せて付与し折り曲げ易くした構成である。
【００１０】
七面の板を罫線沿いに順次折り曲げると、上下を開放し方形状断面の中央に仕切り板を配置した外枠が出来上がる。中仕切り板と前板の上辺から伸びる中前貼付板を折り曲げ、下辺一端から勾配付として他端に段部を設けた各仕切りを前記中仕切り板と前板に対し直角に引き起こすと、各仕切りの下辺は前記段部を介して帯び板でつながり各仕切り片の中央付近に位置するので、仕切り内に収納した容器の底を弾力的に支え緩衝機能としての役割を果たす。
【００１１】
前板の上辺から伸びる蓋板に切り込み付きの複数の突起を設け、蓋板を折り曲げ突起を引き起こして直立し、蓋板に連接した突起付差込み板を折り曲げて、前記外枠の内側の仕切り片上端に当たるまで差し込み、突起を仕切りの間に挿入する。この場合、蓋板を連接する後板より蓋板が差し込まれる前板の高さを低くしておくと、差し込み板の幅が広く採れ折り曲げ時に蓋板自体が安定する。
【００１２】
この形状の中仕切りの構造は、仕切り片に囲まれた収納物の上下方向に緩衝機能を備え、従来品に較べ収納箱の取り扱いに起因する容器等の損傷事故を格段に減少し、収納箱と仕切りを一体化するシールエンドタイプに較べ、独立構造の中仕切りは、底貼りがなく半切り罫線により曲げ易いので、打ち抜きに際し折り曲げ方向を考慮する必要がなく、自動製箱機での作業と包装ラインの構築を楽にする効果があり、偏平状に折り畳めるので未使用時の格納スペースが小さくてすむ他に、収納物の全数検査から抜き取りに移行する利点を生じた。
【００１３】
【作用】
本発明になる緩衝機能付中仕切りは、収納箱に挿入して使用する独立構造で、内部の仕切り片の下辺中央の段を介し帯び板と連接して収納物を個々に支え、仕切り片の上辺を覆う蓋板に設けた突起と左右側板で空間を形成する構造とし、上下方向に対する緩衝機能を備える。
【００１４】
【実施例】
図１は中仕切り１の展開図を、図２は蓋板を開放し前列仕切り片の断面を含む斜視図を、図３は図２の状態で外観の斜視図を、図４は蓋を閉じた最終形状の斜視図を示した。図１に示す様に左より右にかけて左貼付板２と中仕切り板３と右貼付板４と後板５と左側板６と前板７と右側板８の七面が連接し、中仕切り板３の上辺に中貼付板９を、前板７の上辺に前貼付板１０を、後板５の上辺に蓋板１１と差し込み板１２を夫々連接し、各連接部に押し罫と半切り罫と切り罫を単独か組合せた何れか線を付与して折り曲げ易くし、貼付部分には接着剤を塗布する。
【００１５】
中貼付板９上に、両端に左右中貼付片９1 ，９2 と曲線の切り込み９3 を持つ仕切り片９4 と帯び板９5 と貼付片９6 ，９7 を展開し、同様に前貼付板１０上に、左右前貼付片１０1 ，１０2 と曲線の切り込み１０3 を持つ仕切り片１０4と帯び板１０5 と貼付片１０6 ，１０7 を展開する。図２に示す様に中貼付板９を中仕切り板３の内側に折り曲げ、前貼付板１０を前板７の内側に折り曲げ、各貼付片を利用して接着材で固定する。この際に切り込み９3 ，１０3 に沿い仕切り片９4 ，１０4 を引き起し、左右の中貼付片９1 ，９2 と前貼付片１０1 ，１０2 を左右貼付板２，４か左右側板６，８の何れかに接着する。
【００１６】
引き起こした仕切り片９4 ，１０4 の下辺９8 ，１０8 は勾配付として、他端に段９9 ，１０9 を形成することにより、前記下辺と切り離された帯び板９5 ，１０5 は略中央で前記段と連接し、その帯び板は外枠を形成する左右の貼付板か側板と接続し、仕切りの間に収納した容器の底を弾力的に支持し、衝撃等の外力を吸収し緩和する効果を生む。
【００１７】
図３は蓋板１１を閉じていない状態で仕切り付のまま偏平状に折り畳めることを仮想線で示している。また蓋板１１の四箇所に設けた突起１１1 には連接部に折り曲げ罫線を付与していない。従って、図４に示す様に蓋板１１を内向きに折り曲げると突起１１1 は直立した状態となり左右側板６，８の先端と合わせて蓋板１１上に空間１３を形成し、前記突起が衝撃等の外力を吸収し緩和するので中仕切り内の収納物を損傷から防止する。
【００１８】
後板５と前板７の高低差が有る程、蓋板１１に連接する差し込み板１２の幅が広くなり折り曲げた時の蓋の形が安定する。この差し込み板は前板７の内側である前貼付板１０の折り返し面に接するようにして、仕切り片１０4 の上端で止まるまで挿入すると、突起１２1 が仕切りの間まで入り込み蓋板１１の抜け戻りを防止する。
【００１９】
図１に示す様に、この中仕切り１は中前貼付板９，１０上に展開した曲線状の切り込み９3 ，１０3 を挟む各接着用貼付部９6 ，９7 ，１０6 ，１０7 に、Ｒ付の切り刃９10，１０10を設けて、接着面積を拡大したので接着剤のはみ出し防止ができると共に、付随的な効果として仕切り片９4 ，１０4 に付与した折り曲げ罫線の長さが短くなり、組立作業時の引き起し成形が楽に出来た。
【００２０】
本中仕切り１は、前貼付板１０の右前貼付片１０2 に浮き出し１０11を設け、自動組立の過程で機械が接着剤を塗布する最初の位置を認識し易くしたので、自動連続組立時の位置ずれに起因する余剰接着剤による内接を防止することが出来た。このような対策は偏平状に折り畳むことを目的とする組立品に起り勝ちな問題点の解決に役立った。
【００２１】
この中仕切り１は、上方向の緩衝能力を増した空間を形成する左右側板６，８の先端と蓋板１１から立ち上げた突起１１1 先端の夫々の高さを同じにする必要がある。また緩衝機能の増加をより必要とする場合は、仕切り片の下辺に構成した帯び板の位置と合わせ、対応する辺との間に構成する空間１３を大きくすることで達成することが出来る。
【００２２】
【発明の効果】
本発明になる緩衝機能付中仕切りの使用により下記の効果を得た。
１）収納箱の蓋板に付けた突起と側板からなる空間や仕切り片と帯び板による緩衝機能により、壊れ易いアンプル，バイアル，ドリンク等の容器を取り扱いに起因する損傷から防止した。
２）接着剤漏れによる内接防止が出来、且つ偏平状に折り畳めるので未使用時の格納スペースを小さくした。
３）この中仕切りは収納箱のタイプが底ワンタッチやシールエンドの種類に関わらず使用出来た。
４）緩衝効果の向上により収納物の検査を全数から抜き取りへ移行できた。
５）底貼りの必要がなく自動糊貼加工が楽になり、包装ラインが簡素化して人件費や加工費等が軽減しコスト逓減が計れた。
【図面の簡単な説明】
【図１】 中仕切りの展開図である。
【図２】 蓋板を開放し前列仕切り片の断面を含む斜視図である。
【図３】 図２の状態で外観の斜視図である。
【図４】 蓋を閉じた最終形状の斜視図である。
【符号の説明】
１ 中仕切り
２，４ 左右貼付板
３ 中仕切り板
５ 後板
６，８ 左右側板
７ 前板
９，１０ 中前貼付板
９1 ，９2 ，１０1 ，１０2 左右中前貼付片
９3 ，１０3 切り込み
９4 ，１０4 仕切り片
９5 ，１０5 帯び板
９6 ，９7 ，１０6 ，１０7 貼付片
９8 ，１０8 下辺
９9 ，１０9 段
９10，１０10 切り刃
１０11 浮き出し
１１ 蓋板
１１1 ，１２1 突起
１２ 差し込み板
１３ 空間
【図１】
0003992357.tif 000002
【図２】
0003992357.tif 000003
【図３】
0003992357.tif 000004
【図４】
0003992357.tif 000005